(57)【特許請求の範囲】
【請求項１】
上部材と吸込口を有する下部材とで形成された吸込具本体と、一端が前記上部材と下部材で傾動自在に狭持されたアームと、一端が前記アームの他端に回動自在に取着され、他端が掃除機本体に連通するように接続されるパイプと、前記吸込口、アーム、パイプを連通する塵埃通路とを備え、前記アームの内壁に棚リブを前記吸込口側に延接し、吸込具本体を空中に持ち上げたときに、前記上部材と下部材の少なくとも一方の内壁のアーム側端部と前記棚リブの前記吸込口側端部とがほぼ同一面になるように設定し、前記アームの傾動時に上部材と下部材の少なくとも一方と摺接する摺接壁を前記アームに設け、前記摺接壁と棚リブで形成される空間部を備え、前記空間部と塵埃通路とを連通する複数の孔を前記棚リブに設けた電気掃除機用吸込具。
【請求項２】
空間部に吸音材を配した請求項１記載の電気掃除機用吸込具。
【請求項３】
上部材と吸込口を有する下部材とで形成された吸込具本体と、一端が前記上部材と下部材で傾動自在に狭持されたアームと、一端が前記アームの他端に回動自在に取着され、他端が掃除機本体に連通するように接続されるパイプと、前記吸込口、アーム、パイプを連通する塵埃通路とを備え、前記アームの内壁に棚リブを前記吸込口側に延接し、吸込具本体を空中に持ち上げたときに、前記上部材と下部材の少なくとも一方の内壁のアーム側端部と前記棚リブの前記吸込口側端部とがほぼ同一面になるように設定し、前記アームの傾動時に、上部材又は下部材の少なくとも一方と摺接するエアータイトリブを棚リブの吸込口側端部に設けた電気掃除機用吸込具。
【請求項４】
棚リブの端部に、上部材又は下部材の少なくとも一方の摺接面を圧接するタイト部を設けた請求項３記載の電気掃除機用吸込具。
【請求項５】
空間部をアームの全周に渡って配した請求項１又は２記載の電気掃除機用吸込具。
【請求項６】
電動送風機と、塵埃を捕集する集塵室と、請求項１〜５のいずれか１項記載の電気掃除機用吸込具と連通するように接続される差込口を備えた電気掃除機。
【発明の詳細な説明】
【０００１】
【発明の属する技術分野】
本発明は電気掃除機用吸込具及びそれを用いた電気掃除機に関するものである。
【０００２】
【従来の技術】
近年、電気掃除機の吸込力向上がめまぐるしく進歩している。しかしその反面吸込風による騒音も大きくなりつつある。従来この種の吸込具は、特公昭６１−５８６１９号公報に示されているものが一般に知られている。
【０００３】
その構成を図８、９を用いて説明すると、内部に吸引用のモーター（図示せず）と、前記モーターの前部に集塵室（図示せず）を設けた電気掃除機１１はホース１０、延長管９を介して吸込具１に連結し掃除作業を行う。吸込具１は上部材２と下部材３にて構成されており、前記上部材２と下部材３に回動自在に狭接されたアーム４を備え、前記アーム４の突出した端部には回転自在にパイプ５が設けられている。前記パイプ５より吸込具１下面方向に開口している吸込口６は塵埃通路７により電気掃除機本体と連通する形で構成されている。
【０００４】
上記構成にて電気掃除機１１の電動送風機（図示せず）により吸引力が伝わった時には吸込口６より塵埃を含んだ大気が高速で塵埃通路７を通過し、パイプ５より延長管９，ホース１０を介し電気掃除機本体１１の集塵室（図示せず）に入り、集塵される。
【０００５】
【発明が解決しようとする課題】
このように従来の電気掃除機用吸込具では、吸込口６より塵埃を含んだ大気が高速で塵埃通路７を通過するため塵埃通路７に段差及び塵埃通路７の断面積の急激な変化等がある所では、通過風の急激な圧力変化又は風速変化又は乱流が発生することにより不快な騒音が発生するものである。
【０００６】
また、上部材２及び下部材３とアーム４のエアータイト部１２が磨耗し隙間が発生すると外気が前記隙間を通過し塵埃通路に流入するとき、外気の流入速度が高速であるため笛音に似た高周波音が発生した。
【０００７】
本発明は、上記課題を解決するもので、塵埃通路をスムーズに構成することにより塵埃を含んだ大気が高速で流入し塵埃通路を通過しても、通過風の急激な圧力変化又は風速変化又は乱流が発生することなく、不快な騒音を防止できるものである。
【０００８】
さらに、上部材及び下部材とアームのエアータイト部の磨耗による隙間の発生を防止できるものであり、外気が前記隙間より塵埃通路に流入することなく、騒音の発生を防止できるものであり、静かな電気掃除機用吸込具を提供することを目的としている。
【０００９】
【課題を解決するための手段】
上記目的を達成するために本発明の吸込具は、上部材と下部材により構成され前記上部材と下部材に回動自在に狭設されたアームを有し前記アームは電気掃除機と連結するパイプを有している。
【００１０】
下部材には下方開口の吸込口が構成され、吸込口は前記パイプ、アームに構成された塵埃通路と連通し、前記塵埃通路は下部材又は上部材のいずれか一方又は両方の塵埃室内壁とパイプ内壁の段差を少なく連結するための、棚リブをアーム内面に設け塵埃通路での気流の急激な変化による騒音の発生を防止するものである。
【００１１】
また、棚リブにより分割されたアーム内部の塵埃通路と異なる空間により塵埃通路の騒音を吸収するものである。
【００１２】
【発明の実施の形態】
本発明の請求項１記載の発明は、上部材と下部材と前記上部材と下部材に回動自在に狭設されたアームを有し前記アームは電気掃除機本体と連結するパイプを有して、下部材には下方開口の吸込口が構成され、吸込口は前記パイプ、アームに構成された塵埃通路と連通し、前記、塵埃通路は下部材又は上部材のいずれか一方又は両方の吸込口内壁とパイプ内壁の段差を少なく連結するための棚リブをアーム内面に設けることにより、段差部での空気の乱流を防止し、低騒音の電気掃除機用吸込具が提供できる。また、アームの傾動時に上部材と下部材の少なくとも一方と摺接する摺接壁を前記アームに設け、前記摺接壁と棚リブで形成される空間部を備え、前記空間部と塵埃通路とを連通する複数の孔を前記棚リブに設けたので、圧力変化に伴うこもり音を小さくすることができる。
【００１３】
また、請求項２記載の発明は、空間部に吸音材を設けたことにより、吸音効果が高められる。
【００１４】
また、請求項３記載の発明は、下部材のアーム回動壁面に沿った、リブ状のエアータイト部を棚リブに設けたことにより、エアータイト面積が大きくなり、エアータイトがより確実にできる。
【００１５】
また、請求項４記載の発明は、棚リブの端部に下部材又は上部材の回動壁面に圧接されるタイト部を設けて、よりエアータイトを確実にしたものである。
【００１６】
また、請求項５記載の発明は、空間をアーム内で塵埃通路の全周に設けたもので、上方、下方の両面で段差がなくなり、より低騒音化ができる。
【００１７】
また、請求項６記載の発明は、電動送風機を内蔵し、請求項１〜５のいずれか１項記載の電気掃除機用吸込具と連通するように接続される差込口を備えたことにより、低騒音の電気掃除機が提供できるものである。
【００１８】
【実施例】
（実施例１）
以下、本発明の第１実施例について図１及び図２を用いて説明する。なお、従来例と同一部分については、同一符号を付して、その詳細な説明は省略する。
【００１９】
吸込具１は上部材２と下部材３にて構成されており、前記上部材２と下部材３に傾動自在に挟持された筒状のアーム４を有しており、前記アーム４の突出した端部にはその周面を回転するにパイプ５を有している。
【００２０】
図１は吸込具１を持ち上げた時の状態を示すもので、上部材２の上部に設けた第１突出部２ａとアーム４の上部で、前記第１突出部２ａと対向する位置に設けられた第２突出部４ａとが当接し、回動規制を行っている。また、前記パイプ５より吸込具１の下面方向に開口している吸込口６は、塵埃通路７により電気掃除機本体１１にホース１０、延長管９を介して連通する形で構成されている。
【００２１】
前記アーム４の内部には下部材３の吸込口端部１３とパイプ内壁１４を結んだ面上に棚リブ８が設けられており、前記棚リブ８は塵埃通路７と吸込口６との間の段差が無くなるように平面的形状をしている。
【００２２】
上記構成にて電気掃除機本体１１の電動送風機により吸引力が伝わった時には吸込口６より塵埃を含んだ大気が、高速で塵埃通路７を通過しパイプ５より延長管９ホース１０を介し電気掃除機本体１１に集塵される。この時塵埃を含んだ大気は棚リブ８により段差の無い平面上を流れるため、大気の流れに対し障害となるものが無いため乱流の発生が防止できるものである。
【００２３】
（実施例２）
第２の実施例を、図２及び図３を用いて説明する。なお、上記実施例と同一部分については、同一符号を付して、その詳細な説明は省略する。
【００２４】
棚リブ８は塵埃通路７と吸込口６との間の段差が無くなるような平面的形状にて、パイプ５内部を塵埃通路７と空間１７とに分割する形状をしている。４ｂは、アーム４に一体的に設けられた摺接壁で、その端部４ｃは、アーム４の回動時に、下部材３の回動壁面３ａに摺接する。
【００２５】
また、棚リブ８と摺接壁４ｂとの間には、空間部１７が形成され、前記棚リブには塵埃通路７と空間部１７とを連通させる孔１６が設けられている。
【００２６】
上記構成にて電気掃除機本体１１の電動送風機により吸引力が伝わった時には吸込口６より塵埃を含んだ大気が高速で塵埃通路７を通過しパイプ５より延長管９，ホース１０を介し電気掃除機本体１１に集塵される。この時塵埃を含んだ大気は棚リブ８上を流れる。この時、下方向に開口した吸込口６より、塵埃通路７の方向に気流の流れ方向が変化することにより、気流の曲がる内側の気圧が低くなる図中の低圧部１８が発生することにより、圧力の変化によるこもり音が発生する。しかし棚リブ８の孔１６により空間１７と塵埃通路７が連通しているため低圧部１８の圧力変化を空間１７に伝達することにより、圧力変化部の体積が空間１７を含み増大するため、圧力の変化幅を小さくできこもり音も小さくできるものである。
【００２７】
（実施例３）
第３の実施例を、図３を用いて説明する。なお、上記実施例と同一部分については、同一符号を付して、その詳細な説明は省略する。
【００２８】
空間１７に吸音材１５を配したので、電気掃除機本体１１の電動送風機により吸引力が伝わった時には、吸込口６より塵埃を含んだ大気が高速で塵埃通路７を通過し、パイプ５より延長管９，ホース１０を介し電気掃除機本体１１に集塵される。この時塵埃を含んだ大気は棚リブ８上を流れる。この時、下方向に開口した吸込口６より塵埃通路７の方向に気流の流れ方向が変化することにより、気流の曲がる内側に気圧が低くなる図中の低圧部１８が発生し、圧力の変化によるこもり音が発生する。しかし棚リブ８の孔１６により空間１７と塵埃通路７が連通しているため低圧部１８の圧力変化を空間１７に伝達すことにより吸音材１５にて圧力変化による空気振動を吸収し、圧力変化により発生する騒音を低減できるものである。
【００２９】
また、電気掃除機本体１１に内蔵された電動送風機が高速回転により発生してホース１０、延長管９を逆流し吸込具１の吸込口６より大気中に伝達する高周波音に対しても吸音材１５にて消音できるものである。
【００３０】
（実施例４）
第４の実施例を、図４を用いて説明する。なお、上記実施例と同一部分については、同一符号を付して、その詳細な説明は省略する。
【００３１】
アーム４内の塵埃通路７の棚リブ８に、下部材吸込口端部１３近傍から、下部材３の回動壁面３ａに沿ったリブ状のエアータイトリブ２０を設けている。
【００３２】
上記構成にて電気掃除機本体１１の電動送風機により吸引力が伝わった時には、吸込口６より塵埃を含んだ大気が高速で塵埃通路７を通過しパイプ５より延長管９，ホース１０を介し電気掃除機本体１１に集塵される。この時塵埃を含んだ大気は棚リブ８により段差の無い平面上を流れるため、大気の流れに対し障害となるものが無く、乱流の発生が防止できるものである。
【００３３】
また、エアータイトリブ２０のタイト面積を大きく構成できることにより、隙間の防止ができ、タイト性が向上することにより隙間を高速で通過する大気により発生する隙間音を無くせるものである。
【００３４】
（実施例５）
第５の実施例は、図５を用いて説明する。なお、上記実施例と同一部分については、同一符号を付して、その詳細な説明は省略する。
【００３５】
リブ状のエアータイトリブ２０を下部材３の回動壁面３ａに対し干渉する形状に形成し前記リブ状のエアータイトリブ２０の先端にはタイト部２１を設け、上部材２と下部材３により挟持されることにより変形し、下部材３の回動壁面３ａに圧接する形で構成されている。
【００３６】
上記構成にて電気掃除機本体１１の電動送風機により吸引力が伝わった時には、吸込口６より塵埃を含んだ大気が高速で塵埃通路７を通過しパイプ５より延長管９，ホース１０を介し電気掃除機本体１１に集塵される。この時塵埃を含んだ大気は棚リブ８により段差の無い平面上を流れるため、大気の流れに対し障害となるものが無く、乱流の発生が防止できるものである。
【００３７】
また、エアータイトリブ２０のタイト部２１が回動壁面３ａに圧接していることにより隙間の防止ができ、タイト性が向上する。よって隙間を通過する大気により発生する隙間音を無くせるものである。また、エアータイトリブ２０の先端のタイト部２１は長期使用により磨耗しても圧接によるバネ効果により常に回動壁面３ａに密着している。よって、隙間の防止ができ、タイト性が向上することにより隙間を通過する大気により発生する隙間音を無くせるものである。また、砂等の異物が摺動部に侵入したときにも逃げ部２２により摺動の妨げになることのないものである。
【００３８】
（実施例６）
第６の実施例は、図６及び図７を用いて説明する。なお、上記実施例と同一部分については、同一符号を付して、その詳細な説明は省略する。
【００３９】
リブ枠２３は、アーム４内部の塵埃通路７と異なる空間帯２４を塵埃通路７の周囲に形成され、前記アーム４の内部に、吸込口内壁２５とパイプ内壁１４を結んだ面上に設けられており、前記リブ枠２３は塵埃通路７内を吸込口内壁２５とパイプ内壁１４の間を段差が無くなるようにアーム４内全周に渡って平面状に形成されている。
【００４０】
上記構成にて電気掃除機本体１１の電動送風機により吸引力が伝わった時には吸込口６より塵埃を含んだ大気が高速で塵埃通路７を通過しパイプ５より延長管９，ホース１０を介し電気掃除機本体１１に集塵される。この時塵埃を含んだ大気はリブ枠２３により段差の無い平面上を流れるため、大気の流れに対し障害となるものが無いため乱流の発生が防止できるものである。
【００４１】
なお、図示しないが前記リブ枠の外周部の塵埃通路７と異なる空間帯２４に吸音材を設けて騒音の低減を行うこともできる。
【００４２】
【発明の効果】
以上のように本発明によれば、電気掃除機本体の電動送風機により、吸込口より塵埃を含んだ大気が高速で塵埃通路を通過する際、大気は棚リブにより段差の無い平面上を流れることにより、大気の流れに対し障害となるものが無く乱流の発生が防止できるものであり、静かな吸込具を提供できるものである。
【００４３】
また、塵埃を含んだ大気が棚リブ上を流れる時、下方向に開口した吸込口より塵埃通路の方向に気流の流れ方向が変化し、気流の曲がる内側の気圧が低くなる低圧部が発生し、それにより、圧力の変化によるこもり音が発生するが、棚リブの孔により空間と塵埃通路が連通しているため低圧部の圧力変化を空間に伝達すことにより、圧力変化部の体積が空間を含み増大するため、圧力の変化幅を小さくできこもり音を小さくできるものであり、静かな吸込具を提供できるものである。
【図面の簡単な説明】
【図１】本発明の第１の実施例を示す電気掃除機用吸込具の断面図
【図２】同電気掃除機用吸込具の平面図
【図３】本発明の第２及び第３の実施例を示す電気掃除機用吸込具の断面図
【図４】本発明の第４の実施例を示す電気掃除機用吸込具の断面図
【図５】本発明の第５の実施例を示す電気掃除機用吸込具の断面図
【図６】本発明の第６の実施例を示す電気掃除機用吸込具の断面図
【図７】同吸込具のパイプの正面図
【図８】従来の電気掃除機を示す全体図
【図９】同電気掃除機用吸込具の断面図
【符号の説明】
２  上部材
３  下部材
３ａ  回動壁面
４  アーム
５  パイプ
６  吸込口
７  塵埃通路
８  棚リブ
１５  吸音材
１６  孔
１７  空間
２０  エアータイトリブ
２１  タイト部
２４  空間帯（アームの全周に配した空間部）
【図１】
0003624653.tif 000002
【図２】
0003624653.tif 000003
【図３】
0003624653.tif 000004
【図４】
0003624653.tif 000005
【図５】
0003624653.tif 000006
【図６】
0003624653.tif 000007
【図７】
0003624653.tif 000008
【図８】
0003624653.tif 000009
【図９】
0003624653.tif 000010